(57)【要約】【課題】蝉の産卵管突き刺しにより光ファイバ心線が損傷を受けるのを回避することができるとともに、スキルを要することなく確実に光ファイバ心線を露出させて取出すことができる楔状ノッチを有する光ファイバケーブルを提供する。【解決手段】ケーブル中心部に１本以上の光ファイバ心線１１を配し、その両側にテンションメンバ１２を配して外被１３により一体に被覆した光ファイバケーブルである。光ファイバ心線１１とテンションメンバ１２を結ぶ中心を通るラインＹに対し１５°〜４５°の角度θを有するテンションメンバ１２を通る傾斜ラインＸ上で、ノッチ先端１５ａの延長上にテンションメンバ１２が位置するようにケーブル中心に関し点対称な楔状ノッチ１５を形成する。また、楔状ノッチ１５の開口角度βは、３０°以下で形成し、外被１３の断面形状が矩形状である場合、楔状ノッチ１５を矩形角部からの切り込みにより形成する。【選択図】図１
2006039001.tif 000002
【特許請求の範囲】
【請求項１】
ケーブル中心部に１本以上の光ファイバ心線を配し、その両側にテンションメンバを配して外被により一体に被覆した光ファイバケーブルであって、
前記テンションメンバ間を結ぶラインに対し１５°〜４５°の角度を有する前記テンションメンバを通る傾斜ライン上で、ノッチ先端の延長上にテンションメンバが位置するようにケーブル中心に関し点対称な楔状ノッチが形成されていることを特徴とする光ファイバケーブル。
【請求項２】
前記楔状ノッチの開口角度が３０°以下であることを特徴とする請求項１に記載の光ファイバケーブル。
【請求項３】
前記外被の断面形状が矩形状であり、前記楔状ノッチが矩形角部から切り込んで形成されていることを特徴とする請求項１又は２に記載の光ファイバケーブル。
【請求項４】
前記テンションメンバ間を結ぶラインと平行な側面の幅寸法Ｌ２が３.５ｍｍ以下であり、前記ラインと直交する端面の幅寸法Ｌ１が２.５ｍｍ以下であることを特徴とする請求項３に記載の光ファイバケーブル。
【請求項５】
前記ノッチ先端間の傾斜ライン方向の距離Ｄが１.０ｍｍ以下であることを特徴とする請求項４に記載の光ファイバケーブル。
【請求項６】
前記光ファイバ心線が多心の光ファイバテープ心線であることを特徴とする請求項１又は２に記載の光ファイバケーブル。
【発明の詳細な説明】
【技術分野】
【０００１】
本発明は、ケーブル中心部に配した光ファイバ心線の両側にテンションメンバを配し、外被で一体に被覆してドロップ光ファイバケーブルやインドア光ファイバケーブルとして用いるような光ファイバケーブルに関する。
【背景技術】
【０００２】
インターネット等の急速な普及により情報通信の高速化、情報量の増大に加え、最近では双方向通信と大容量通信の光ネットワークの構築が進展し、通信事業者と各家庭を直接光ファイバで結び高速通信サービスを提供するＦＴＴＨ（Fiber To The Home）サービスが開始されている。このため、宅内への引き込みに用いられるドロップ光ファイバケーブルや屋内配線用のインドア光ファイバケーブルの需要が増えている。
【０００３】
これらの光ファイバケーブルは、例えば、図３（Ａ）に示すように、一般に、光ファイバ心線１の両側にテンションメンバ２を平行に配し、ケーブル外被３により一体に被覆してケーブルの引張り強度を高めた構造のものが用いられている。また、この光ファイバケーブルには、支持線部４が一体に設けられ、この支持線部４を手で引裂いて除去し、インドア用光ファイバケーブルとしても使用できる形状とされている。そして、ケーブル外被３の両側面には、通常、ケーブル外被３を手で引裂いて内部の光ファイバ心線１を取出すためのＶ字状のノッチ５が設けられている。
【０００４】
この構造の光ファイバケーブルの使用増加に伴って、従来にはなかった問題も発生するようになっている。例えば、上記のノッチ５の部分から、蝉が産卵管を光ファイバケーブルの外被３内に突き刺し、内部の光ファイバ心線１を損傷させると言うような事例が生じている。特に、西日本で多く見られるクマ蝉による被害が発生しており、光ファイバケーブルを蝉が産卵しやすい対象物と認識したものと推定されている。
【０００５】
これに対し、蝉対策手段を備えた幾つかの光ファイバケーブルが提案されている。例えば、特許文献１及び特許文献２に開示のように、ノッチ先端の位置が光ファイバ心線の位置からずれるように構成したものが知られている。これは、図３（Ｂ）に示すように、光ファイバ心線１の中心とテンションメンバ２の中心を結ぶラインＹ上で、ノッチ５の先端から下した垂線と光ファイバ心線１との間にある程度の距離ａを有するようにしている。すなわち、ノッチ５の先端の延長上に光ファイバ心線１が無いようにして、光ファイバ心線１が蝉の産卵管による直撃を受けないようにしている。また、例えば、図３（Ｃ）に示すように、ケーブル外被３の側面にノッチを有しない形状のものを用いる方法も考えられる。
【特許文献１】特開２００２−９０５９３号公報
【特許文献２】特開２００２−３２８２７６号公報
【発明の開示】
【発明が解決しようとする課題】
【０００６】
しかしながら、図３（Ｂ）のように、ノッチ５の位置をずらせた場合、特許文献２にも記載されているように、両側のノッチ５と光ファイバ心線１を通るような斜めの切り込みを入れずに引裂くと、ノッチ先端からラインＹと垂直方向に裂けて光ファイバ心線１が露出しないことがある。すなわち、光ファイバ心線１を取出すには、ニッパなどの工具で光ファイバ心線１を通るように斜めの切り込みを入れてから引裂くなどの工夫が必要で、ある程度のスキルを要する。また、複数本の光ファイバ心線を一列に並べたテープ心線が収納されているような場合、ノッチの位置を光ファイバ心線から所定距離ずらすには、ケーブル寸法を大きくする必要があり、ノッチによる光ファイバ心線の取出し効果を期待することができない。
【０００７】
本発明は、上述した実情に鑑みてなされたもので、蝉の産卵管突き刺しにより光ファイバ心線が損傷を受けるのを回避することができるとともに、スキルを要することなく確実に光ファイバ心線を露出させて取出すことができる楔状ノッチを有する光ファイバケーブルの提供を課題とする。
【課題を解決するための手段】
【０００８】
本発明による光ファイバケーブルは、ケーブル中心部に１本以上の光ファイバ心線を配し、その両側にテンションメンバを配して外被により一体に被覆した光ファイバケーブルである。そして、テンションメンバ間を結ぶケーブル中心を通るラインに対し１５°〜４５°の角度を有するテンションメンバを通る傾斜ライン上で、ノッチ先端の延長上にテンションメンバが位置するようにケーブル中心に関し点対称な楔状ノッチを形成する。なお、楔状ノッチの開口角度は３０°以下で形成するのが好ましい。
【０００９】
また、光ファイバケーブルの外被の断面形状が矩形状である場合、楔状ノッチを矩形角部から切り込んで形成する。また、テンションメンバ間を結ぶラインと平行な側面の幅寸法が３.５ｍｍ以下であり、ラインと直交する端面の幅寸法が２.５ｍｍ以下になるようにし、楔状ノッチのノッチ先端間の傾斜ライン方向の距離が１.０ｍｍ以下とする形状が好ましい。なお、本発明は、光ファイバ心線が多心の光ファイバテープ心線である場合にも適用することができる。
【発明の効果】
【００１０】
本発明によれば、専用工具を用いることなくケーブル内の光ファイバ心線を確実に取出すことができ、且つ、蝉の産卵管突き刺しにより光ファイバ心線が損傷を受けるのを回避することができる。ケーブルの外被が矩形状の場合は、楔状ノッチを矩形角部から形成することができるので、ケーブル側面が広くなり識別性のよいマーク表示ができ、さらに、既存クロージャの形状を変更することなく密封状態でケーブルを導入することができる。
【発明を実施するための最良の形態】
【００１１】
本発明の実施形態を図により説明する。図１（Ａ）は本発明による光ファイバケーブルの概略を説明する斜視図、図１（Ｂ）はケーブル断面図、図２（Ａ）〜図２（Ｄ）は、他の実施形態の例を示す図である。図中、１１は光ファイバ心線、１１’はテープ心線、１２はテンションメンバ、１３は外被、１３ａは外被側面、１４は支持線部、１５は楔状ノッチ、１５ａはノッチ先端を示す。
【００１２】
本発明による光ファイバケーブルは、例えば、図１（Ａ）に示すように、ケーブル中心部に１本以上の光ファイバ心線１１を配し、その両側（図では上下側）にテンションメンバ１２を配し、外被１３により一体に被覆してなる構成のものが対象とされる。外被１３には、ケーブル中心に関し点対称な楔状ノッチ１５が形成されていて、この両側の楔状ノッチ１５の部分からケーブルを２分するように手で引裂くことにより、内部の光ファイバ心線１１を露出させて取出すことができるように構成されている。
【００１３】
本発明における光ファイバ心線１１とは、標準外径が１２５μｍのガラスファイバを被覆外径が２５０μｍ前後で被覆した光ファイバ素線と称されているもの、並びに、その外側にさらに補強被覆を施した構成のもの全てを含むものとする。この光ファイバ心線１１は、１本〜数本程度を外被１３で直接被覆して配されるが、後述する図２（Ｃ）及び図２（Ｄ）に示すように、複数本の光ファイバ心線を共通被覆で一体化したテープ心線の形態で配することもできる。
【００１４】
なお、本発明の説明には、光ファイバケーブルの本体部に支持線部１４を一体的に設けた自己支持形の光ファイバケーブルを用いている。しかし、本発明では、支持線部１４を除去した形態での使用、或いは、初めから支持線部１４を有しない光ファイバケーブルに対しても同様に適用することができる。また、光ファイバケーブルの本体部を構成する外被１３は、断面形状を矩形状とする場合が多いが、特にこれに限定されず、後述する図２（Ａ）及び図２（Ｂ）に示すように、楕円形状や円形状とすることもできる。
【００１５】
本発明による光ファイバケーブルは、図１（Ｂ）に示すように、両側のテンションメンバ間１２を結ぶケーブル中心を通るラインＹに対し、所定の角度θを有し、且つ、テンションメンバ１２を通る傾斜ラインＸ上に、光ファイバ心線１１を取出すための楔状ノッチ１５を形成している。楔状ノッチ１５は、ケーブル本体部の中心に関し点対称で形成され、少なくとも一対のノッチが形成されていればよい。図１（Ｂ）では、右上と左下部分に設けているが、左上と右下部分に設けてもよい。なお、ラインＹに対する傾斜ラインＸの角度θは、１５°〜４５°とするのが望ましい。また、楔状ノッチ１５は、従来のＶ字状のノッチと比べて、その開口角βが３０°以下の小さい角度で形成するのが望ましい。
【００１６】
楔状ノッチ１５を傾斜ラインＸ上に形成することで、その鋭角なノッチ先端１５ａの延長上にテンションメンバ１２が位置するようになる。この結果、ノッチ先端１５ａの延長上に光ファイバ心線１１が存在しないようにすることができる。なお、傾斜ラインＸの角度θが１５°未満では、傾斜ラインＸが光ファイバ心線１１に接近して、蝉の産卵管に接触する恐れがあり、角度θが４５°を超えると、外被１３を引裂いた際に光ファイバ心線１１を確実に露出させることが難しくなる。また、楔状ノッチ１５の開口角度βを３０°以下の小さい角度とすることにより、蝉の産卵管の突き刺し方向をノッチ先端１５ａの延長方向に向けさせることができる。
【００１７】
光ファイバケーブルを上記のように構成することにより、蝉が産卵管を楔状ノッチ１５の部分から差し込んでケーブル内に突き刺すようなことがあっても、産卵管は、テンションメンバ１２に向かって突き刺され、光ファイバ心線１１は産卵管による直撃を受けるのを回避することができる。また、従来の図３（Ｂ）のように外被側面から垂直方向に形成されるノッチと比べて、楔状ノッチ１５の入口から光ファイバ心線１１に達するまでの距離が大きくなる。この結果、光ファイバ心線１１が蝉の産卵管による直撃で損傷されるのを効果的に避けることができる。また、楔状ノッチ１５を手で引裂くと、被覆厚さが薄くなっているノッチ先端１５ａと中央の光ファイバ心線１１との間を通るように破断が生じ、光ファイバ心線１１を露出させることができる。
【００１８】
図１（Ｂ）に示すように、光ファイバケーブルの外被１３の断面形状が矩形状である場合、楔状ノッチ１５は、外被１３の角部からテンションメンバ１２に向かって切り込みを入れて形成されるのが好ましい。楔状ノッチ１５を外被１３の角部から形成することにより、外被１３の両側面１３ａの有効幅を広くすることができ、図１（Ａ）に示すようにマーキング用の文字等を識別しやすい大きさで、きれいに付与することができる。また、この形状の光ファイバケーブルをドロップ光ファイバケーブルとして、屋外のクロージャから引き落とす際に、既存クロージャの導入部に対し、付加的な変更を行なうことなく密封状態で導入させることができる。
【００１９】
また、例えば、ケーブル内に収納される光ファイバ心線１１に標準被覆外径０.２５ｍｍのものを１〜数本用い、テンションメンバ１２に外径０.４ｍｍ程度の鋼線あるいはガラス繊維強化プラスチック（ＦＲＰ）、アラミド繊維強化プラスチック（Ｋ−ＦＲＰ）などを用い、支持線部１４の線材に外径１.２ｍｍの鋼線を用いるとする。この場合、光ファイバケーブルの本体部となる外被１３を矩形状とすると、上下のテンションメンバ１２間を結ぶケーブル中心を通るラインＹと平行な側面１３ａの幅寸法Ｌ２を３.５ｍｍ以下とし、これと直交する端面の幅寸法Ｌ１を２.５ｍｍ以下とするのが好ましい。また、支持線部１４を含めた高さ寸法Ｌ３を５.５ｍｍ以下とする。この寸法形状であれば、既存のドロップ光ファイバケーブルと同じように扱うことができ、既設のクロージャや周辺部品をそのまま使用することができる。
【００２０】
上述した矩形状の形状寸法を有する光ファイバケーブルでは、点対称で形成された楔状ノッチ１５同士のノッチ先端１５ａ間の傾斜ラインＸ方向の距離Ｄは１.０ｍｍ以下であることが好ましい。この距離Ｄを１.０ｍｍ以下とすることにより、両側の楔状ノッチ１５を切り開くようにして引裂いた際に、内部の光ファイバ心線１１を確実に露出させることができ、光ファイバ心線１１の取出しを容易にすることができる。なお、距離Ｄは、実質的にゼロであっても蝉の産卵管による直撃は回避することができる。
【００２１】
図２は、本発明の他の実施形態を示す図で、図２（Ａ）はケーブル本体部の外被１３の断面形状を楕円状にした例を示す図である。なお、この例では、１本の光ファイバ心線１１の両側にテンションメンバ１２を配した例で示してある。この例においても、両側のテンションメンバ１２間を結ぶケーブル中心を通るラインＹに対し角度θ（１５°〜４５°）を有し、且つ、テンションメンバ１２を通る傾斜ラインＸ上に、光ファイバ心線１１を取出すための楔状ノッチ１５を形成する。この楔状ノッチ１５は、図１（Ｂ）で説明したの同様にその開口角度βを３０°以下としてもよく、楕円状の外被外面から傾斜ラインＸ上に形成することで、鋭角なノッチ先端１５ａの延長上にテンションメンバ１２が位置する状態となる。この結果、ノッチ先端１５ａの延長上に光ファイバ心線１１が存在しないようにすることができる。
【００２２】
図２（Ｂ）はケーブル本体部の外被１３の断面形状を円形状にした例を示す図である。なお、この例では、４本の光ファイバ心線１１を束状にし、その両側にテンションメンバ１２を配した例で示してある。この例においても、両側のテンションメンバ１２を結ぶケーブル中心を通るラインＹに対し角度θ（１５°〜４５°）を有し、且つ、テンションメンバ１２間を通る傾斜ラインＸ上に、光ファイバ心線１１を取出すための楔状ノッチ１５を形成する。この楔状ノッチ１５は、図１（Ｂ）で説明したの同様にその開口角度βを３０°以下としてもよく、円形状の外被側面から傾斜ラインＸ上に形成することで、鋭角なノッチ先端１５ａの延長上にテンションメンバ１２が位置する状態となる。この結果、ノッチ先端１５ａの延長上に光ファイバ心線１１が存在しないようにすることができる。
【００２３】
図２（Ｃ）及び図２（Ｄ）は、図２（Ｂ）の複数本の光ファイバ心線１１を束ねて多心化することに代えて、複数本の光ファイバを一列に並べてテープ状にしたテープ心線１１’を用いた例である。図２（Ｃ）は１枚のテープ心線１１’を用いた場合で、この例においても、両側のテンションメンバ１２間を結ぶケーブル中心を通るラインＹに対し角度θ（１５°〜４５°）を有し、且つ、テンションメンバ１２を通る傾斜ラインＸ上に、テープ心線１１’を取出すための楔状ノッチ１５を形成する。この楔状ノッチ１５は、図１（Ｂ）で説明したのと同様にその開口角度βを３０°以下としてもよく、矩形状の角部から傾斜ラインＸ上に形成することで、鋭角なノッチ先端１５ａの延長上にテンションメンバ１２が位置する状態となる。この結果、ノッチ先端１５ａの延長上にテープ心線１１’が存在しないようにすることができる。
【００２４】
図２（Ｄ）は、支持線部１４を有しない形状で２枚のテープ心線１１’を用いた例で示している。この例においても、図２（Ｃ）と同様に両側のテンションメンバ１２間を結ぶラインＹに対し角度θ（１５°〜４５°）を有し、且つ、テンションメンバ１２を通る傾斜ラインＸ上に、テープ心線１１’を取出すための楔状ノッチ１５を形成することができる。しかし、２枚のテープ心線１１’を重ねると傾斜ラインＸがテープ心線１１’に接近する可能性があるので、図２（Ｃ）の場合より角度θを大きくする。この場合、楔状ノッチ１５は矩形状の側面１３ａから傾斜ラインＸ上に形成することになるが、鋭角なノッチ先端１５ａの延長上にテンションメンバ１２が位置するようにする。この結果、ノッチ先端１５ａの延長上にテープ心線１１’が存在しないようにすることができる。
【図面の簡単な説明】
【００２５】
【図１】本発明の概略と実施形態を説明する図である。
【図２】本発明の他の実施形態を説明する図である。
【図３】従来の技術を説明する図である。
【符号の説明】
【００２６】
１１…光ファイバ心線、１１’…テープ心線、１２…テンションメンバ、１３…外被、１３ａ…外被側面、１４…支持線部、１５…楔状ノッチ、１５ａ…ノッチ先端。
【図１】
2006039001.tif 000003
【図２】
2006039001.tif 000004
【図３】
2006039001.tif 000005